(57)【要約】  本発明は、テレビ装置（１０）に電話サービスを与えるための電話サービス装置を含む、電話サービス装置およびシステムに関する。本発明の技術分野は、通常家庭環境における通常のテレビ装置を電話サービス用の端末として用いる、たとえばＭＭＳ（マルチメディアメッセージサービス）、ＳＭＳ（ショートメッセージのサービス）およびストリームモバイルメディアおよびテレビ会議を用いる方法に関する便利なソリューションである。このプラットホームは、音量の大きなマルチメディア通信プラットホームの端末として使用することができる。この装置によって、「モバイルコミュニティ」における他の人々に応答しかつ他の人々との対話を維持するのが容易になる。電話サービス装置は、テレビ装置（１０）に接続するための電話サービスメインユニット（２０）と、メインユニット（２０）と関連して可動な分離したオペレータユニット（２２）とを含む。
2007504781.tif 000002
【特許請求の範囲】
【請求項１】
電話サービスを画面／ディスプレイ（１６）を有するテレビ装置（１０）に与えるための電話サービスシステムであって、
テレビ信号ならびに／またはビデオ信号および音声信号を受信し、処理するためのテレビ回路（１４）と、前記テレビ信号および／またはビデオ信号を表示するための画面（１６）とを含むテレビ装置（１０）と、
前記テレビ装置（１０）へ接続するための電話サービスメインユニット（２０）、および、前記メインユニット（２０）に対して可動な、分離したオペレータユニット（２２）の２つのユニット（２０、２２）のみからなる電話サービス装置とを含み、
前記電話サービスメインユニット（２０）は、前記テレビ回路（１４）と相互作用するためにテレビ／セルラー方式無線フォーマットコンバータモジュール（２４）を囲むハウジング、セルラー方式無線通信のためのセルラー方式無線モジュール（２６）、前記オペレータユニット（２２）と相互作用するためのオペレータユニットＩ／Ｏインターフェイスモジュール（２８ａ）、および異なるモジュールを制御するための制御プロセッサ（３０）を有し、前記コンバータモジュール（２４）からセルラーネットワーク（４８，２１０）への信号、および前記セルラーネットワーク（４８，２１０）から前記コンバータモジュール（２４）への信号は、１つの外部インターフェイス、エアインターフェイス（２００）のみを通過し、
前記オペレータユニット（２２）は、前記メインユニット（２０）と相互作用するためのメインユニットＩ／Ｏインターフェイスモジュール（２８ｂ）、電話サービス表示手段（３２）、キーボード（３６）、およびオペレータユニット制御装置（６０）を含むことを特徴とする、電話サービスシステム。
【請求項２】
前記分離したオペレータユニット（２２）は、オペレータの声を音声信号に変換するためのマイクロフォンユニット（３４）を含むことを特徴とする、請求項１に記載の電話サービスシステム。
【請求項３】
前記メインユニット（２０）には、前記テレビ装置（１０）のＳＣＡＲＴインターフェイス（５２）に接続するための第１のＳＣＡＲＴインターフェイス（４０）が設けられることを特徴とする、請求項１に記載の電話サービスシステム。
【請求項４】
前記メインユニットには、外部のビデオ機器に接続するためのＳＣＡＲＴインターフェイスが設けられることを特徴とする、請求項１に記載の電話サービスシステム。
【請求項５】
前記メインユニットにはＵＳＢポート（４４）が設けられることを特徴とする、請求項１から３のいずれかに記載の電話サービスシステム。
【請求項６】
前記メインユニット（２０）はプラグイン回路カード上で設計されることを特徴とする、請求項１に記載の電話サービスシステム。
【請求項７】
前記メインユニット（２０）と相互作用するための前記メインユニットＩ／Ｏインターフェイスモジュール（２８ｂ）と、前記オペレータユニット（２２）と相互作用するためのオペレータユニットＩ／Ｏインターフェイスモジュール（２８ａ）との間の通信は無線であることを特徴とする、請求項１に記載の電話サービスシステム。
【請求項８】
前記セルラー方式無線モジュール（２６）は、ＭＭＳもしくはＳＭＳまたはストリーミングマルチメディアのために用いられるプロトコルのうちのいずれか１つを変換するためのプロトコルコンバータ（１７０）と、前記プロトコルコンバータ（１７０）と前記テレビ／セルラー方式無線フォーマットコンバータモジュール（２４）との間で送信される中
間画像信号とを含み、前記テレビ／セルラー方式無線フォーマットコンバータは、前記テレビ装置（１０）の前記画面／ディスプレイ（１６）上でおよびスピーカー（１８）において表示するために、前記中間画像信号と適切なテレビ信号またはビデオ信号および音声信号との間で変換するためのフォーマットコンバータを含むことを特徴とする、請求項１に記載の電話サービスシステム。
【請求項９】
電話サービスをテレビ回路（１４）および画面／ディスプレイ（１６）を有するテレビ装置（１０）に与えるための電話サービス装置であって、前記装置は２つのユニット（２０，２２）のみからなり、
前記テレビ装置（１０）に接続するための電話サービスメインユニット（２０）と、前記メインユニット（２０）に対して可動な、分離したオペレータユニット（２２）とを含み、
前記電話サービスメインユニット（２０）は、前記テレビ装置（１０）の前記テレビ回路（１４）と相互作用するためにテレビ／セルラー方式無線フォーマットコンバータモジュール（２４）を囲むハウジング、セルラー方式無線通信のためのセルラー方式無線モジュール（２６）、前記オペレータユニット（２２）と相互作用するためのオペレータユニットＩ／Ｏインターフェイスモジュール（２８ａ）、および異なるモジュールを制御するための制御プロセッサ（３０）を含み、前記コンバータモジュール（２４）からセルラーネットワーク（４８，２１０）への信号、およびセルラーネットワーク（２０１）から前記コンバータモジュール（２４）への信号は、１つの外部インターフェイス、エアインターフェイス（２００）のみを通過し、
前記オペレータユニット（２２）は、前記メインユニット（２０）と相互作用するためのメインユニットＩ／Ｏインターフェイスモジュール（２８ｂ）、電話サービス表示手段（３２）、キーボード（３６）、およびオペレータユニット制御装置（６０）を含むことを特徴とする、電話サービス装置。
【請求項１０】
前記分離したオペレータユニット（２０）は、オペレータの声を音声信号に変換するためのマイクロフォンユニット（３４）を含むことを特徴とする、請求項９に記載の電話サービス装置。
【請求項１１】
前記メインユニット（２０）には、前記テレビ装置（１０）のＳＣＡＲＴインターフェイス（５２）に接続するための第１のＳＣＡＲＴインターフェイス（４０）が設けられることを特徴とする、請求項９に記載の電話サービス装置。
【請求項１２】
前記メインユニットには、外部のビデオ機器に接続するための第２のＳＣＡＲＴインターフェイスが設けられることを特徴とする、請求項９に記載の電話サービス装置。
【請求項１３】
前記メインユニット（２０）にはＵＳＢポート（４４）が設けられることを特徴とする、請求項９から１１のいずれかに記載の電話サービス装置。
【請求項１４】
前記メインユニット（２０）はプラグイン回路カード上に設計されることを特徴とする、請求項９に記載の電話サービス装置。
【請求項１５】
前記メインユニット（２０）および前記オペレータユニット（２２）は、無線通信を介して互いに相互作用することができることを特徴とする、請求項９に記載の電話サービス装置。
【請求項１６】
前記セルラー方式無線モジュール（２６）は、ＭＭＳもしくはＳＭＳまたはストリーミングマルチメディアのために用いられるプロトコルのうちのいずれか１つを変換するためのプロトコルコンバータ（１７０）と、前記プロトコルコンバータ（２６）と前記テレビ
／セルラー方式無線フォーマットコンバータ（２４）との間で送信される中間画像信号とを含み、前記テレビ／セルラー方式無線フォーマットコンバータモジュールは、前記テレビ装置（１０）の前記画面／ディスプレイ（１６）上でおよび前記スピーカー（１８）において表示するために、前記中間画像信号と、適切なテレビ信号またはビデオ信号および音声信号との間で変換するためのフォーマットコンバータを含むことを特徴とする、請求項９に記載の電話サービス装置。
【発明の詳細な説明】
【技術分野】
【０００１】
本発明は、移動無線通信のためのシステムおよび装置に関する。より詳細には、本発明は、テレビ装置に電話サービスを与えるための電話サービス装置を含む、電話サービスの装置およびシステムに関する。
【０００２】
本発明の技術分野は、通常家庭環境における通常のテレビ装置を電話サービス用の端末として用いる、たとえばＭＭＳ（マルチメディアメッセージサービス）、ＳＭＳ（ショートメッセージサービス）およびストリームモバイルメディアを見る方法に関する便利なソリューションである。このプラットフォームは、音量の大きなマルチメディア通信プラットフォームのための端末として使用することもできる。この装置によって、「モバイルコミュニティ」における他の人々に応答しかつ他の人々との対話を維持するのが容易になる。
【０００３】
このソリューションは、家庭（端末としてのテレビ）と、ＳＭＳおよび／もしくはＭＭＳならびに／またはストリームモバイルメディアの可能性を含む携帯電話を持って外出している人との声によるおよびメッセージによる会話を維持するのに最適化される。
【背景技術】
【０００４】
発明の背景
このソリューションは、家庭におけるテレビ装置へのアクセサリとなるように最適化される。このソリューションは、「常時接続の」ソリューションをサポートする。この考えは、ソリューションを移動中の人々から「家でソファに座っている人々」へと最適化することである。この考えでは、それをスピーカーホンとしても用いる。この装置は、テキスト、グラフィックスおよびビデオコンテンツを作成し、それをモバイルネットワーク上で他人の電話、ＰＣおよびテレビ装置に送信するのを可能にする。
【０００５】
今日、ＰＣ上でＭＭＳメッセージを表示するために、ＭＭＳ（マルチメディアメッセージングサービス）のメッセージ、たとえば写真を他の携帯電話へ、またはメールへの添付として送信するという考えがある。本発明は、ＭＭＳ、ＳＭＳおよびストリームマルチメディアがテレビで表示されるのを可能にする。デジタルカメラを含む携帯電話が多くなり、またはカメラはアクセサリとして選択的になるであろう。これは、ＭＭＳ標準に従ってＭＭＳを誰かに、将来的にはストリームビデオに送信する可能性を開く。本発明は、既存の国際基準３Ｇ、ＧＳＮ、携帯電話、ＭＭＳ／ＳＭＳ、ブルートゥース、ＵＳＢ、ＳＣＡＲＴ等に完全に遵守する。本発明は自然進化に適合するまたは自然進化として見なされる。このソリューションは、家庭（端末としてのテレビ）と、ＳＭＳおよび／もしくはＭＭＳならびに／またはストリームビデオの可能性を含む携帯電話を持って外出している人々との間でのメッセージによる会話を持続させるために最適化される。
【０００６】
公開された特許出願ＷＯ０１６００８９は、携帯端末のユーザが、携帯端末と比較して大きな画面を有するディスプレイを用いてデータサービスにアクセスすることを可能にするための方法および装置を提示している。携帯端末は、携帯端末を通してデータを受信するように構成されたインターフェイスモジュールに接続される。インターフェイスモジュールは、データを従来のテレビ画面で表示することができるフォーマットに変換する。従来のテレビ画面を用いることの利点は、携帯端末の表示と比較して、より多くのテキストおよびグラフィックの情報をユーザに表示することができるということである。インターフェイスモジュールは、携帯端末を通して、ユーザからの入力データを受信し、入力データをサービスプロバイダに送信する。インターフェイスモジュールは、携帯端末のデータ
バスに接続してデータが携帯端末を通して送受信されるようにし得る。インターフェイスモジュールは、テレビ画面でデータを提示するためのユーザエージェント、たとえばウェブブラウザを含む。携帯端末のデータバスへのおよびデータバスからのデータの処理を容易にするためのシステムは、無線通信ネットワークへのデータを送受信するためのデータバスを含む携帯端末を含む。このシステムは、音声、ビデオ、テキストの情報のうちの少なくとも１つをユーザに提示するための出力装置と、携帯端末のデータバスに接続されたインターフェイスモジュールとをさらに含む。インターフェイスモジュールは、（１）少なくとも１つの通信プロトコルに従った携帯端末のデータバスへのおよびデータバスからのデータを処理するためのプロトコルスタック、（２）プロトコルスタックへのおよびプロトコルスタックからのデータを解釈するためのユーザエージェント、（３）ユーザエージェントからの解釈されたデータを出力装置のための信号に変換するための信号発生器を含む。
【０００７】
以前に公開された特許出願ＥＰ１０５９８０９は、移動局をテレビ装置に取付けるための結合装置を開示している。このテレビ装置は、或る第１のフォーマットにおける外部情報信号を受信するための第１の入力を有する。結合装置は、外部の装置、移動局からの情報を受信するための短い範囲の無線周波数通信手段、受信された情報を第１のフォーマットにおける当該情報信号に変換するための手段、および第１のフォーマットにおける当該情報信号を当該テレビ装置の第１の入力に供給するための第１の出力を含む。さらに、携帯端末、結合装置およびテレビ装置を含むシステムが開示される。携帯端末は、情報を結合装置に送信するための短い範囲の無線周波数のための手段を有する。さらに、携帯端末をテレビ装置に結合するための方法が開示され、テレビ装置は外部の情報信号を受信するための第１の入力を有する。携帯端末からの短い範囲の無線周波数に送信される情報を受信するために、結合装置は第１の入力に取付けられる。受信された情報は、テレビ装置に好適な第１のフォーマットに変換され、第１のフォーマットにおける情報はテレビ装置の第１の入力に供給される。
【０００８】
以前に公開された特許出願ＥＰＯ０９９９６７８Ａ２は、ビデオ、音声および移動電話技術を統合するためのシステムおよび方法を開示している。このソリューションは、ビデオ信号および音声信号をテレビまたは他のディスプレイに与えるためのクレードルに基づいて、ユーザがデータを見てトランザクションを生成し得るようにするものである。クレードルは、無線電話ネットワークまたは固定電話ネットワークのいずれかを介してコンピュータから外部データを受信する。クレードルは次にこの外部データを内部記憶装置または取外し可能な記憶装置に記憶されたデータと組合せて、ユーザが理解できる複合ビデオ画像を形成する。
【発明の開示】
【発明が解決しようとする課題】
【０００９】
当該先行技術には複数の欠点がある。このような欠点の１つは、クレードルを携帯電話ネットワークに接続するための分離した移動無線端末（携帯電話）をインターフェイスすることによってさらに複雑になり、費用の負担がかかるということが挙げられる。なぜなら、各特定の移動無線端末モデルは特定のアダプタを必要とするからである。この先行技術は、多くの異なるアクセス技術、内蔵式拡声器、音量つまみ、キーボード、制御装置等を使用する能力において費用負担がかかる。
【００１０】
携帯無線端末およびアダプタ間の無線データリンクは、当該外部のエアインターフェイス上のデータ、音声およびビデオ情報、広帯域情報を通信するための低電力無線周波数トランシーバを使用する。この余分なエアインターフェイスは、余分なアンテナおよびトランシーバを必要とし、送信データ転送速度を減じ、信号の強度を低下させ、信号トラフィックにノイズをもたらす。
【００１１】
これら３つの周知のアダプタのすべては、モバイルネットワークからテレビジョン受信機にデータを中継するための分離した携帯端末を利用する。
【００１２】
分離した携帯端末を中継装置として用いることによる１つの問題は、アダプタと分離した携帯端末との間の無線データリンクは、帯域幅を制限され、データ転送速度が制限されるということである。これは通信システムにおける障害である。ユーザは、当該データリンクの帯域幅およびデータ転送速度を増加させるためにアップグレードされた携帯端末を買わなければならない。さまざまな理由により、ユーザはこのようなソリューションを非常に高価であると考える。モバイルネットワーク上のテレビ会議には、非常に強力なプロセッサが必要になる。高いビデオ画質が必要とされる場合、携帯端末におけるプロセッサの性能は非常に制限される。
【００１３】
分離した携帯端末を用いることによる別の問題は、キーボードが小さく制限されているということである。今日、非常に少数の携帯端末しか完全な英数字キーボードを提供しない。携帯端末の製造業者は、より多くの機能およびサービスを含む、より小型の携帯端末を開発している。新しいファンクションキーは小さな正面領域に設けられなければならない。このキーは小さくなければならないため、多くの人々、特に老人または障害者は、これを非常に不便であると感じる。このような人々は、携帯端末を使用することができないか、または携帯端末を活用することができない。なぜなら、このような人々は部屋を滅多に離れないからである。したがって、このような人々は携帯端末を購入しない。
【００１４】
分離した携帯無線端末を用いるさらに別の一般的な問題は、分離した無線端末の可動性および個人的な性質のために、すなわちテレビに接続されたアダプタ／クレードル／メインユニットは必ずしも「常時接続である」（接続されている）とは限らないために、常に利用可能ではないということである。同じ理由のために、これはアダプタ／クレードル／メインユニットに固定され一意の識別子（電話番号）を与えない。
【００１５】
本発明の目的は上述の問題を克服することである。
【００１６】
本発明の別の目的は、顧客にとって便利であり、強力なテレビ会議機器を提供することである。
【課題を解決するための手段】
【００１７】
このソリューションは、テレビへのＭＭＳ／ＳＭＳ／ストリームビデオのための遠隔制御された装置に基づいている。本発明に従う装置は、電話サービス装置および電話サービス装置を含む電話サービスシステムであり、電話サービスシステムは、テレビ装置への取外し可能な接続のための電話サービスメインユニットと、メインユニットに対して可動な分離したオペレータユニットとから成る。
【００１８】
より詳細には、本発明は、電話サービスを画面／ディスプレイを有するテレビ装置に与えるための電話サービス装置に関し、この装置は２つの装置、すなわち
テレビ装置に接続するための電話サービスメインユニットと、メインユニットに対して可動な分離したオペレータユニットとから成り、
電話サービスメインユニットは、テレビ装置のテレビ回路と相互作用するためのテレビ／携帯無線フォーマットコンバータモジュールを囲むハウジング、携帯無線通信、オペレータユニットと相互作用するためのオペレータユニットＩ／Ｏインターフェイスモジュールのための携帯無線モジュール、および異なるモジュールを制御するための制御プロセッサを含み、コンバータモジュールから携帯電話ネットワークへの信号およびモバイルネットワークからコンバータモジュールへの信号は、１つの外部インターフェイス、エアイン
ターフェイスのみを通過し、
オペレータユニットは、メインユニットと相互作用するためのメインユニットＩ／Ｏインターフェイスモジュール、電話サービス表示手段、キーボードおよびオペレータユニット制御装置を含む。
【００１９】
さらに、本発明は、テレビ信号ならびに／またはビデオ信号および音声信号を受信し処理するためのテレビ回路を有するテレビ装置ならびにテレビおよび／またはビデオ信号を表示するための画面に電話サービスを与えるための電話サービスシステムに関し、
２つの装置、すなわちテレビ装置に接続するための電話サービスメインユニットと、メインユニットに対して可動な分離したオペレータユニットとから成る電話サービス装置を含み、
電話サービスメインユニットは、テレビ回路と相互作用するためのテレビ／携帯無線フォーマットコンバータモジュールを囲むハウジング、携帯無線通信のための携帯無線モジュール、オペレータユニットと相互作用するためのオペレータユニットＩ／Ｏインターフェイスモジュール、および異なるモジュールを制御するための制御プロセッサを含み、コンバータモジュールから携帯電話ネットワークへの信号およびモバイルネットワークからコンバータモジュールへの信号は、１つの外部インターフェイス、エアインターフェイスのみを通過し、
オペレータユニットは、メインユニットと相互作用するためのメインユニットＩ／Ｏインターフェイスモジュール、電話サービス表示手段、キーボードおよびオペレータユニット制御装置を含む。
【発明の効果】
【００２０】
先行技術を凌ぐ１つの利点は、本発明が障害者および／または老人にとって扱いやすいということである。
【００２１】
さらに、１つの利点は、メインユニットがテレビ媒体のみのために最適化されるということである。先行技術において、周知のアダプタは、分離した携帯端末を使用するために最適化されている。発明された装置は、携帯端末よりも強力であり、したがって装置は、高い処理能力、良好で高速なプロセッサ、および容量が大きいメモリを有し、高度な「携帯サービス」、たとえばメッセージの編集、画像の編集等に好適なプラットフォームを提供する。
【００２２】
別の利点は、本発明は、携帯無線通信のための分離した携帯端末を含まないということである。本発明は少ない要素を組込み、１つの外部エアインターフェイスを排除する。
【００２３】
さらに別の利点は、本発明は帯域幅およびデータ転送速度を制限するインターフェイスを含まないということである。
【００２４】
本発明は、専用の統合された携帯無線モジュールを含むために、アダプタ／クレードル／クレードルと携帯端末との間の、外部の所有権を主張できるインターフェイスは排除される。
【００２５】
さらに、これはメインユニット、およびしたがって「常時接続」の接続を有する接続されたテレビ、ならびに一意の識別（電話番号）を与えることによって、テレビを端末として特定的に用いて携帯電話サービスの消費量を課す／請求する標準的な方法を可能にする。
【００２６】
これは、携帯無線ネットワークにアクセスするためのＳＩＭカードを用いることによって達成され、ＳＩＭカードはメインユニットの携帯無線モジュールに接続されている。
【００２７】
本発明の他の利点、目的および特徴は、添付の図面と関連した以下の詳細な説明から明らかになる。しかしながら、図面は、本発明の制限の定義としてではなく、例示のためのみに描かれ、本発明の制限の定義については別掲の特許請求の範囲を参照すべきことを理解すべきである。図面は必ずしも同じ割合で描かれておらず、特に示されない限り、これらは単に本明細書に記載された構造およびプロシージャを概念上示すことを意図しているに過ぎないことをさらに理解すべきである。
【発明を実施するための最良の形態】
【００２８】
本発明の好ましい実施例は図面を参照して以下でより詳細に記載される。
【００２９】
発明の詳細な説明
本発明は、デジタルアドバンス携帯電話サービス（Ｄ−ＡＭＰＳ）、ＴＤＭＡ、符号分割多重アクセス方式（ＣＤＭＡ）、携帯通信のためのグローバルシステム（ＧＳＭ）、パシフィックデジタルセルラー（ＰＤＣ）、広域ＣＤＭＡ（Ｗ−ＣＤＭＡ）、汎用パケット無線標準（ＧＰＲＳ）、ＣＤＭＡ２０００、ＧＳＭエボリューションのための強化データ（ＥＤＧＥ）、３Ｇ、ＵＭＤＳ／ＩＭＴ２０００および同様の標準および技術にも同様に適用可能であることを認識すべきである。
【００３０】
図１は、画面／ディスプレイを有するテレビ装置に電話サービスを提供するための本発明の好ましい実施例に従った電話サービスシステムを示す概略ブロック図である。当該システムはテレビ装置１０を含み、このテレビ装置は、テレビ信号ならびに／またはビデオ信号および音声信号を受信および処理するためのテレビ回路１４、テレビ信号および／またはビデオ信号を表示するためのディスプレイまたは画面１６、テレビ装置に取外し可能に接続するための電話サービスメインユニット２０を含む電話サービス装置、ならびにメインユニットに対して可動である分離したオペレータユニット２２を含み、電話サービスメインユニット２０は、テレビ回路１４と相互作用するためのテレビ／セルラー方式無線フォーマットコンバータモジュール２４、セルラー方式無線通信のためのセルラー方式無線モジュール２６、オペレータユニット２２と相互作用するためのオペレータユニットＩ／Ｏインターフェイスモジュール２８ａ、および異なるモジュールを制御するための制御プロセッサ３０、およびメインユニットと相互作用するためのメインユニットＩ／Ｏインターフェイスモジュール２８ｂを含むオペレータユニット２２、電話サービス表示手段３２、オペレータの声を音声信号に変換するためのマイクロフォン装置３４、キーボード３６、ならびにオペレータユニット制御装置６０を含む。
【００３１】
このシステムの異なる詳細は以下でより詳細に説明される。
【００３２】
本発明に従った電話サービス装置は、先に識別された標準のいずれかに従ったすべての携帯無線サービスおよびアプリケーションとしての電話サービスをサポートする。電話サービスが意味するものの例として、ＭＭＳ、ＳＭＳ、モバイルストリームメディア、スピーカホン、Ｅメール、インターネット、ＷＡＰ、テレビ電話会議がある。デジタルビデオカメラ、デジタルカメラ、プリンタ、追加のデータ記憶、コンピュータまたはＰＣ等の複数の異なる外部機器は、サービスをサポートするためのデバイスに接続可能である。
【００３３】
テレビ装置１０は、テレビ信号ならびに／またはビデオ信号および音声信号を受信および処理するためのテレビ回路１４、テレビおよび／またはビデオ信号を表示するためのディスプレイまたは画面１６、および少なくとも１つのスピーカー１８を含む。テレビ回路１４は、テレビ放送ネットワークおよびアンテナ１２またはケーブルテレビネットワークからのアンテナコネクタを介してテレビ信号を受信および処理することができる。テレビ回路１４は、他の入力ポート、たとえばＳＣＡＲＴ（Syndicat des Constructeurs d'App
areils Radio Recepteurs et Televiseurs）ポートを介してテレビ信号を受信および処理することができる。このコンテクストにおけるテレビジョン装置またはテレビ装置は、テレビジョン受信機、ＨＤＴＶ（高精細度テレビ）受信機、テレビプロジェクタ（テレビの画像を画面に投影するための装置）およびビデオレコーダ等のテレビ信号を受信することのできる装置のことを示す。
【００３４】
電話サービス装置２０，２２の異なる詳細は以下でより詳細に説明される。
【００３５】
図２は、本発明に従った電話サービス装置のメインユニットの概略ブロック図である。
【００３６】
本発明に従ったメインユニット２０は、テレビ装置１０の入力ポート５２に接続されるようにする。ユニット２０は、テレビ回路と相互作用するためのテレビ／セルラ式無線フォーマットコンバータモジュール２４を囲むハウジング、セルラー方式無線通信のためのセルラー方式無線モジュール２６、オペレータユニットと相互作用するためのオペレータユニットＩ／Ｏモジュール２８ａ、ならびに異なるモジュールおよび制御装置を制御するための制御プロセッサ３０を含む。制御プロセッサ３０は、データバスを介してコントローラに接続される。モバイルネットワーク上のテレビ会議のためには、非常に強力なプロセッサが必要とされる。高いビデオ品質が要求される場合に、携帯端末におけるプロセッサの性能は非常に限られている。さらに、メインユニットは、ＳＣＡＲＴポート４０，４２、ＵＳＢポート４４等の複数の異なるポートを含み得る。さらに、メインユニットにおけるモジュールの回路に電力を供給するための電力モジュール３８、好ましくは固定された電力分配システムが提供される。１つの選択肢はＳＣＡＲＴコネクタを介してメインユニットに電力を供給することであり得る。
【００３７】
テレビ／セルラー方式無線フォーマットコンバータモジュール２４は、テレビ装置１０における対応するポート５２に向けられたポート４０に接続されている。好ましくは、ポートはＳＣＡＲＴコネクタおよび高速のブランキング機能特徴である。この機能によって、セルラー方式無線モジュール２６から情報を受信するときに、またはオペレータユニットからの手動の命令によって、電話サービス装置は、自動的にテレビ装置にセルラー方式無線モジュール２６によって供給された情報を提示させるのを可能にする。テレビビデオ信号および出力データ信号の変換のためのテレビ／セルラー方式無線フォーマットコンバータモジュール２４、セルラー方式無線モジュール２６からの中間画像信号は、当業者によって周知の異なる方法で実現され得る。１つのこのような周知の実現化例は、ＥＰ１０５９８０９、図３、および４ページ、５段、２５行目から５ページ、７段、５行目により詳細に記載されている。
【００３８】
本発明に従ったメインユニットの一実施例において、セルラー方式無線モジュールは、ＭＭＳ、ＳＭＳ、ＷＡＰインターネットまたはストリーミングマルチメディアのために用いられるプロトコルのうちのいずれか１つの変換のためのプロトコルコンバータと、プロトコルコンバータとテレビ／セルラー方式無線フォーマットコンバータモジュール（２４）との間で送信される中間画像信号とを含み、テレビ／セルラー方式無線無線フォーマットコンバータモジュール（２４）は、テレビ装置の画面で表示するために、中間画像信号と、適切なテレビまたはビデオ信号およびオーディオ信号との間で変換するためのフォーマットコンバータを含む。これらのフォーマットコンバータは、マイクロプロセッサおよびプロトコル／フォーマットソフトウェアを含む。
【００３９】
次に図３および制御装置１２２、送信機１３８、受信機１５０およびアンテナアセンブリ１５８を含むセルラー方式無線無線モジュール２６を参照する。
【００４０】
送信機１３８は、デジタル信号プロセッサ１４２、位相変調器およびＲＦ増幅器１４８
を含む。デジタル信号は、音声符号器１４４とチャネル符号器１４６とを含むデジタル信号プロセッサ（ＤＳＰ）１４２を通る。音声符号器１４４は、デジタル信号を圧縮し、チャネルコーダ１４６はエラー検出、エラー修正および信号情報を挿入する。ＤＳＰ１４２は、ＤＴＭＦ音声発振器（図示せず）を含み、またはこれと連動して動作する。デジタル信号プロセッサ１４２からの圧縮されたおよび符号化された信号は、図３では組合されたユニットとして示されている、位相変調器およびＲＦ増幅器１４８に渡される。変調器は信号をＲＦ搬送波上で送信するのに好適な形態へと変換する。ＲＦ増幅器１４８は次に、アンテナアセンブリ１５８を介して送信のために変調器の出力を上昇させる。異なる携帯標準は、ブロック１８０を有する図に示される異なる追加の無線回路、たとえばバースト生成等を必要とする。
【００４１】
受信機１５０は、受信機／増幅器１５２とデジタル信号プロセッサ１５４とを含む。アンテナアセンブリ１５８によって受信された信号は、受信機／増幅器１５８に渡され、この受信機／増幅器は、周波数スペクトルを移動させ、低レベルのＲＦ信号をデジタル信号プロセッサ１５４への入力のために適切なレベルまで上昇させる。
【００４２】
デジタル信号プロセッサ１５４は、典型的にチャネルが破損された信号における位相および振幅の歪みを補償するための等化器、受信された信号からビットシーケンスを抽出するための復調器、および抽出されたシーケンスに基づいて送信されたビットを決定するための検出器を含む。チャネルデコーダは、受信された信号におけるチャネルエラーを検出し修正する。チャネルデコーダは、制御および信号データを音声データから分離するための論理を含む。制御および信号データは制御装置１２２に渡される。音声データは、音声デコーダによって処理され、テレビ装置に渡されて、ここでデジタルからアナログへのコンバータは、音声データを、ユーザが聞くことのできる音響信号を生じるためにスピーカに与えられるアナログ信号へと変換する。デジタル信号プロセッサ１５４は、ＤＴＭＦトーン検出器（図示せず）を含むかまたはそれと連動して動作し得る。
【００４３】
アンテナアセンブリ１５８は、送信機１３８のＲＦ増幅器および受信機１５０の受信増幅器１５２に接続される。アンテナアセンブリ１５８は、典型的に送受切換器１６０とアンテナ１６２とを含む。送受切換器１６０は、それをテレビ（インターフェイス）から除去するために外部のＲＦケーブルを介してアンテナを接続する可能性を含む、アンテナ１６２上の全二重通信を可能にし、ＲＦ受信を向上させる。
【００４４】
制御装置１２２は、送信機１３８および受信機１５０の動作を調整し、たとえば典型的なマイクロプロセッサの形態をとり得る。このマイクロプロセッサは、専用または共用のマイクロプロセッサであってもよく、必要または希望に応じて単一のプロセッサまたは多数のパラレルプロセッサであってもよい。この調整は、電力制御、チャネル選択、タイミングおよび当該技術で周知の多くの他の機能を含む。制御装置１２２は、信号メッセージを送信された信号に挿入し、受信された信号から信号メッセージを抽出する。制御装置１２２は、信号メッセージに含まれる如何なる基地局のコマンドにも応答し、これらのコマンドを実現する。オペレータ／ユーザがキーボード３６を介してコマンドを入力すると、このコマンドは動作のために制御装置１２２に転送される。メモリ１２４は、情報を記憶し、制御装置１２２の方向に情報を供給し、好ましくは揮発性部分および不揮発性部分の双方を含む。メモリ１２４は、メッセージおよびストリーミングマルチメディアを記憶するために大きくされる。ＧＳＭシステムにおいて使用するためのメインユニット２０は、その独自のＳＩＭカードおよびＳＩＭカードホルダ１６４を含み、ＳＩＭカードは無線ネットワーク（たとえばＧＳＭおよび／または３Ｇ）にアクセスするために必要である。
【００４５】
説明において先述したように、本発明に従ったメインユニットの一実施例において、セルラー方式無線モジュール（２６）は、ＭＭＳ、ＳＭＳ、ＷＡＰインターネットまたはス
トリーミングマルチメディアのために用いられるプロトコルのうちのいずれか１つの変換のためのプロトコルコンバータと、プロトコルコンバータとテレビ／セルラー方式無線フォーマットコンバータモジュール（２４）との間で送信される中間画像信号とを含み、テレビ／セルラー方式無線無線フォーマットコンバータモジュール（２４）は、テレビ装置の画面で表示するために、中間画像信号と適切なテレビまたはビデオ信号およびオーディオ信号との間で変換するためのフォーマットコンバータを含む。これらのフォーマットコンバータは、マイクロプロセッサおよびプロトコル／フォーマットソフトウェアを含む。
【００４６】
ここで図４および本発明に従ったオペレータユニット２２を参照する。オペレータユニット２２は、メインユニット２０と相互作用するためのメインユニットＩ／Ｏインターフェイスモジュール２８ｂ、電話サービス表示手段３２、オペレータの声を音声信号に変換するためのマイクロホン装置３４、キーボード／キーパッド３６、およびオペレータユニット制御装置６０を含む。テレビ装置１０のディスプレイ１６（図１を参照）によって、オペレータはダイヤルされた数字、呼出ステータス、書かれたメッセージおよび他の電話サービス情報、たとえばＳＭＳ，ＷＡＰおよびＭＭＳを見ることができる。キーボード３６によって、オペレータは英数字の文字、ダイヤル番号、入力コマンドおよび選択オプションを書込むことができる。オペレータユニット制御装置６０は、キーボード３６をメインユニット２０の制御プロセッサ３０とインターフェイスさせる。マイクロフォン３４は、ユーザからの音響信号を受信し、音響信号をアナログ電気信号に変換する。アナログからデジタルへのコンバータ６２は、マイクロフォン３４からのアナログ電力信号をデジタル信号へと変更する。電話サービス表示手段３２は、電話、短いメッセージ、ＭＭＳまたはストリームモバイルメディアがセルラー式無線モジュール２６によって受信されたときに光信号または音声信号によってオペレータの注意を呼ぶことができる。オペレータユニット２２は、通信制御のためのコントロールキー６４を含む。オペレータユニットは、ある種類の電源６６、好ましくは充電可能なバッテリ源を必要とする。
【００４７】
メインユニットおよびオペレータユニット間の無線通信は、Ｉ／Ｏインターフェイスモジュール２８ａおよび２８ｂにおけるトランシーバの使用によって解決される。トランシーバは、ブルートゥース、ＷＬＡＮに従ってまたは光リンクを介して動作する如何なる無線通信もサポートし得る。
【００４８】
マイクロフォン３４からのアナログ電気信号は、コンバータ６２でアナログからデジタルへに変換され、デジタル音声情報信号は、オペレータユニット２２のＩ／Ｏインターフェイスモジュール２８ｂに供給され、オペレータユニットは、デジタル音声情報信号をメインユニット２０のＩ／Ｏインターフェイスモジュール２８ａに送信する。Ｉ／Ｏインターフェイスモジュール２８ａは、セルラー方式無線モジュール２６に接続され、音声情報信号は、セルラー方式無線ネットワーク２１０、たとえば基地局４８（ＧＭＳ）の中継局へのエアインターフェイス２００を介して送信するために、モジュール２６の内部回路を介して送信機１３８およびアンテナ４６に供給される。
【００４９】
新しい機能性（スピーカホンの機能性、無線電話、カメラ入力、プリンタの機能性、ＰＣインターフェイス等）を含むソフトウェアダウンロードを追加することによって徐々にシステムおよび装置の機能性を拡張することができる。
【００５０】
発明された装置は、通信していないときに、ＳＣＡＲＴ入力、ｓｃａｒｔへのＶＨＳまたはＤＶＤに接続されているものをテレビ装置に受動的に接続する。ＳＭＳもしくはＭＭＳの受信または生成時等にまたは電話での会話で使用されるときに装置がアクティブになると、スイッチは入力されるｓｃａｒｔを切断し、セルラー方式無線モジュールを電話／セルラー方式無線フォーマットコンバータに接続する。
【００５１】
どのようなＳＭＳまたはＭＭＳメッセージがモバイルネットワークで受信または生成されようとも、トランシーバは文字放送に変換され、ビデオ符号器／解読器に挿入される。ＭＭＳ電話、デジタルカメラ、ビデオカメラもしくはプリンタまたは家庭データネットワークへのアダプタ等の外部機器は、ＵＳＢ、ブルートゥースまたはＷＬＡＮとして実現することのできるアクセサリへのインターフェイスに接続され得る。
【００５２】
本発明の別の実施例は、メインユニットのプラグインカードの設計である。第１の記載された実施例において、メインユニットはその独自のハウジングを有し、メインユニットは、ＳＣＡＲＴコネクタのインスタンスのためのテレビ装置のハウジングを通して向けられる適切なコネクタに接続される。しかしながら、メインユニットがプラグインカードとして設計される場合に、ユニットは、テレビ装置のハウジング内部においてテレビ回路の残りの部分に挿入されるか、またはたはそこにはんだ付けによって固定して取付けられる。メインユニットハウジングの材料は、たとえばＲＦ遮蔽のための樹脂、プラスチックもしくは金属または合金であり得る。
【００５３】
ここで動作の原理をより詳細に説明する。
【００５４】
第１の例はＳＭ（ショートメッセージ）の受信に関連する。
【００５５】
装置はパッシブモードで起動される。ＳＭはセルラー方式無線モジュール２６において受信される。英数字の情報は、無線モジュール制御装置１２２によって受信されたメッセージから抽出され、一時的にメモリ１２４に記憶される。無線モジュール制御装置１２２は、オペレータユニットのオペレータユニット制御装置６０に対して、メッセージが受信されたという信号を生成し、送信する。制御装置６０は、電話サービス表示手段３２を起動してメッセージの受信を音声および／または光信号によって示す。信号の送信は、適切なコントロールキー６４を押すことによってメッセージの表示を開始するユーザ／オペレータによって、信号がオペレータユニットで手動で通知されるまで、予め定められた時間間隔で繰返される。「メッセージの表示」信号は、オペレータユニット制御装置６０によって生成され、制御プロセッサ３０に送信され、これは無線モジュール制御装置１２２に、メモリ１２４からＳＭにアクセスし、かつメッセージをコンバータモジュール２４に送信するように命令する。制御プロセッサ３０は、コンバータモジュール２４に、ＳＭが処理され、テレビ信号フォーマットに変換されることを知らせる。外部機器からの入来ＳＣＡＲＴインターフェイス間のビデオ／音響信号の如何なる進行中の送信もブランキング機能によって中断され、コンバータモジュール２４はテキストメッセージを表示する準備をする。英数字情報は、変換され、テレビ装置１０のディスプレイ／画面１６で表示するために、ＳＣＡＲＴインターフェイス４０上でテレビ回路１４へ挿入される。オペレータユニット２２は、テキストをスクロールアップおよびスクロールダウンするまたは情報をメインユニット２０のＵＳＢインターフェイス４４へ送信する等の動作のために表示段階の間に制御プロセッサ３０と通信する。表示の段階の終了は、キーボード３６上のキーを押すことによって開始される。電話サービス装置はパッシブモードへと移動され、情報が外部機器の入来ｓｃａｒｔインターフェイスとテレビとの間を通るのを可能にする。
【００５６】
第２の例は短いメッセージ、ＳＭの送信に関する。電話サービス装置はパッシブモードで起動される。ユーザ／オペレータは、オペレータユニット２２のコントロールキー６４のうちの１つを用いることによって編集モードでメインユニット２０の制御プロセッサ３０を設定する。オペレータは次に、キーボードを用いてメッセージを作成する。外部機器からの入来ｓｃａｒｔインターフェイス間のビデオ／音声信号の如何なる進行中の送信も、ブランキング機能によって中断され、コンバータモジュール２４はテキストメッセージを表示する準備をする。メッセージはキーボード上でタイプされる。キーボードは、テキストをスクロールアップおよびスクロールダウンするか、または情報を装置の外部のＵＳ
Ｂインターフェイスに送信する等の動作のために、表示段階の間にオペレータユニット制御装置６０を介してコンバータモジュール２４と通信する。メッセージのタイプが完了すると、オペレータはオペレータユニット制御装置６０に、編集モードを終了してＩ／Ｏインターフェイス２８を介してセルラー方式無線モジュール２６にメッセージを送信するように命令する。編集モードの終了は、オペレータユニットのコントロールキー６４の予め定められたキーを押すことによって開始される。英数字の情報は、タイプされたメッセージから抽出される。ＳＭの送信は、オペレータユニットのコントロールキー６４の別の１つを押すことによって開始される。ＳＭの送信は、セルラー方式無線モバイルモジュール２６、たとえばダイヤル番号によって携帯端末の周知の態様において実行され処理される。メッセージが送信されると、電話サービス装置はパッシブモードへと移行し、情報は、周辺機器の入来ｓｃａｒｔインターフェイスとテレビとの間を通過することができる。
【００５７】
第３の例は、ＭＭＳ、グラフィックス、ビデオおよび音声の受信に関する。
【００５８】
電話サービス装置はパッシブモードで起動される。ＭＭＳはセルラー方式無線モジュール２６で受信される。英数字の見出し情報は、無線モジュール制御装置１２２によって受信されたグラフィックの音声およびビデオ情報ＭＭＳから抽出され、グラフィックの音声およびビデオ情報ＭＭＳは、一時的にメモリ１２４に記憶される。無線モジュール制御装置１２２は、ＭＭＳが受信されたというグラフィックの音声およびビデオ情報を生成し、それをオペレータユニットのオペレータユニット制御装置６０に送信する。制御装置６０は、電話サービス表示手段３２を起動してＭＭＳの受信を音声および／または光信号によって示す。信号は、それが適切なコントロールキー６４を押すことによってＭＭＳの表示を開始するユーザ／オペレータによってオペレータユニットで手動で応答されるまで予め定められた時間間隔で繰返される。「ＭＭＳの表示」信号は、オペレータユニット制御装置６０によって生成され、制御プロセッサ３０に送信され、これは無線モジュール制御装置１２２に、メモリ１２４からＭＭＳにアクセスし、かつＭＭＳをコンバータモジュール２４に送信するように命令する。制御プロセッサ３０は、コンバータモジュール２４に、ＭＭＳが処理され、テレビ信号フォーマットに変換されたことを知らせる。外部機器からの入来ＳＣＡＲＴインターフェイス間のビデオ／音声信号の如何なる進行中の送信もブランキング機能によって中断され、コンバータモジュール２４はＭＭＳを表示する準備をする。ＭＭＳは、変換され、テレビ装置１０のディスプレイ／画面１６で表示するために、ＳＣＡＲＴインターフェイス４０上でテレビ回路１４へ挿入される。ビデオおよびグラフィックスはテレビ画面で表示され、音声はテレビ拡声器で表示される。オペレータユニット２２は、テキストをスクロールアップおよびスクロールダウンする、または情報をメインユニット２０の外部のＵＳＢインターフェイス４４へ送信する等の動作のために、表示段階の間に制御プロセッサ３０と通信する。表示段階の終了は、オペレータユニット２２のコントロールキー６４を押すことによって開始される。電話サービス装置は、パッシブモードへと移動され、情報が外部機器の入来ＳＣＡＲＴインターフェイスとテレビとの間を通るのを可能にする。
【００５９】
第４の例は、かかってくる電話およびテレビ会議の電話の受信に関する。
【００６０】
この装置はパッシブモードで起動される。呼出はセルラー方式無線モジュール２６で受信される。英数字の情報は、無線モジュール制御装置１２２によって受信された電話によって抽出され、一時的にメモリ１２４に記憶される。無線モジュール制御装置１２２は、オペレータユニット２０のオペレータユニット制御装置６０に対する、電話が受信されたという信号を生成し、送信する。制御装置６０は、電話サービス表示手段３２を起動して音声および／または光信号によって電話の受信を示す。信号の送信は、ユーザ／オペレータによってオペレータユニットで信号が手動で通知されるまで、予め定められた時間間隔で繰返される。電話が受入れられなかった場合、示された信号の送信は時間切れになり、
電話サービス装置はパッシブモードに戻る。ユーザ／オペレータは、適切なコントロールキー６４を押すことによって電話の受信を開始する。外部のビデオ装置からの入来ｓｃａｒｔインターフェイスの間のビデオ／音声信号の如何なる進行中の送信も中断され、コンバータモジュール２４は、呼出番号等の電話の呼出と組合された如何なる英数字の情報も表示する準備をする。英数字の情報は、変換され、コンバータモジュール２４を介して挿入され、英数字の情報はテレビ装置に送信されてディスプレイ上で表示される。発信者の画像が呼出番号によって関連付けられ、ディスプレイに表示され得る。画像は装置の内部記憶からアクセスされる。グラフィックス、ＭＭＳまたは電話のビデオおよび音声部分ならびにテレビ会議の呼出は、オペレータユニット２２から開始される。オペレータユニットにおけるマイクロフォン３４が起動されると、生成された音声信号がメインユニット上でテレビ装置およびセルラー方式無線ネットワークへと送信される。マイクロフォンからの音声は、オペレータユニット制御装置によって信号処理およびフィルタリングされるため、音響的フィードバックの歪みが生じない。オペレータは、電話の機能性のキーボードの制御、テキストのスクロールアップまたはスクロールダウンまたは情報を電話サービス装置の外部ＵＳＢインターフェイスに送信する等の動作のための表示段階の際にコンバータモジュール２４と通信する。
【００６１】
テレビ会議の呼出ために、デジタルビデオカメラをメインユニット回路の外部ＵＳＢインターフェイスに接続して継続中の画像を生成することができる。ユーザが所有するカメラがテレビ会議で用いられる場合に、このカメラからテレビ画面上の画像表示における画像を生成することができる。ＵＳＢインターフェイスの代わりに、メインユニットには、ブルートゥースまたはＷＡＮ技術を用いて無線通信のためのポートが設けられ得る。
【００６２】
グラフィック、ビデオおよび音声情報は、コンバータモジュールによって、テレビに適合されたフォーマットに変換され、ＳＣＡＲＴインターフェイス上でテレビに送信される。ビデオおよびグラフィックスはテレビ画面に表示され、かかってくる電話からの音声はテレビスピーカにおいて表示される。表示段階の終了は、オペレータユニット上のコントロールキー６４を押すことによって開始される。
【００６３】
電話サービス装置はパッシブモードに移動し、情報が周辺機器の入来ＳＣＡＲＴインターフェイスとテレビとの間をメッセージをオペレータユニット２０のオペレータユニット制御装置６０を通るのを可能にする。
【００６４】
第５の例は、テレビおよびテレビ会議の呼出の生成に関する。
【００６５】
電話サービス装置はパッシブモードで起動される。ユーザ／オペレータは、オペレータユニット２２のコントロールキー６４のうちの１つを用いることによって編集モードにおけるメインユニット２０の制御プロセッサ３０を設定する。オペレータは、進行中の電話番号、加入者番号またはＢ番号をキーボードから入力することによって、オペレータユニット２２からの電話の呼出／テレビ会議を開始する。外部機器からの入来ＳＣＡＲＴインターフェイス間のビデオ／音声信号の如何なる進行中の送信もブランキング機能によって中断され、コンバータモジュール２４はテキストメッセージを表示する準備をする。キーボードは、テキストのスクロールアップまたはスクロールダウン、および情報を装置の外部ＵＳＢインターフェイスへ送信する等の動作のために、表示段階の間にオペレータユニット制御装置６０を介してコンバータモジュールと通信する。編集モードの終了は、オペレータユニットのコントロールキー６４を押すことによって開始される。オペレータユニット２２のコントロールキー６４の呼出キーを押すことによって、電話番号が送信され呼出が開始される。呼出の受信者が電話に出ると、電話設定の完了がセルラー方式無線モジュール２６において検出され、会議設定信号が制御装置１２２によって生成され、制御プロセッサ３０に送信される。電話サービス装置は会議モードへと設定され、電話およびテ
レビ会議は制御プロセッサ３０から開始される。オペレータユニットにおけるマイクロフォン３２が起動されると、生成された音声信号がメインユニットのセルラー方式無線モジュールへと送信される。マイクロフォンからの音声は、オペレータユニット制御装置によって信号処理およびフィルタリングされるため、音響的フィードバックの歪みが生じない。オペレータは、電話の機能性のキーボードによる制御、テキストのスクロールアップまたはスクロールダウン、または情報を装置の外部ＵＳＢインターフェイスに送信する等の動作のために会議の段階の間に、オペレータユニット２２およびキーボード３６を介してコンバータモジュール２４と通信する。
【００６６】
呼出が成功しない場合、呼出設定は時間切れになり、設定が失敗したというテキストがテレビ上で表示され、装置は短い遅延期間の後でパッシブモードに戻る。
【００６７】
テレビ会議の呼出について、デジタルビデオカメラをメインユニットの外部ＵＳＢインターフェイスに接続して進行中の画像を生成することができる。
【００６８】
上述の実施例におけるようなＵＳＢインターフェイスの代わりに、メインユニットには、ブルートゥース、ＷＬＡＮまたは光学技術を用いて無線通信のためのポートが設けられ得る。
【００６９】
ユーザが所有するカメラがテレビ会議の呼出において使用される場合に、このカメラから画像表示における画像をテレビの画面上に生成することができる。
【００７０】
表示段階の終了は、オペレータユニットのコントロールキー６４を押すことによって開始される。
【００７１】
電話サービス装置はパッシブモードへと移行し、情報が外部ビデオ機器の入来ＳＣＡＲＴインターフェイスとテレビとの間を通るのを可能にする。
【００７２】
当業者は、本発明が上記で特定された問題を解決し、上述の目的を達成することを認識する。
【００７３】
記載された実施例および別掲の特許請求の範囲において、モジュールという用語は、一般的な意味および説明的な意味で用いられている。しかしながら、本発明は、本発明のモジュールの設計に限定されない。記載されたユニット内部で、異なるモジュールの回路をサブモジュールまたはサブブロックに分割してもよい。
【００７４】
図面および明細書において、本発明の典型的な好ましい実施例が開示されてきた。特別の用語が用いられているが、これらは一般的な意味および説明的な意味において使用されるに過ぎず、限定するために用いられるのではない。本発明の範囲は別掲の特許請求の範囲において述べられる。
【図面の簡単な説明】
【００７５】
【図１】本発明に従った電話サービスシステムを示す概略ブロック図である。
【図２】本発明に従った電話サービス装置のメインユニットの概略ブロック図である。
【図３】本発明に従った電話サービス装置のメインユニットにおけるセルラー方式無線モジュールの概略ブロック図である。
【図４】本発明に従った電話サービス装置のオペレータユニットの概略ブロック図である。
【図１】
2007504781.tif 000003
【図２】
2007504781.tif 000004
【図３】
2007504781.tif 000005
【図４】
2007504781.tif 000006
【国際調査報告】
2007504781.tif 000007
2007504781.tif 000008